(57)【要約】【課題】撮影時の調整が容易であり撮影後の画像の編集作業を軽減することができる撮影装置の支持装置及び接写装置を提供する。【解決手段】撮影台４の支柱部５に近い側に被写体Ｆの上部が位置するように、撮影台４上に被写体Ｆを載せて、固定部９を支柱部５の長さ方向に沿って移動させ、撮影装置１の表示部１ｄを参照しながら被写体Ｆと撮影装置１との間の撮影距離を調整する。このとき、支柱部５とは反対側（接写装置３の手前側）から撮影者Ｍが被写体Ｆの位置を調整し撮影装置１を操作可能であるため、これらの作業を撮影者Ｍが実施するときに支柱部５が邪魔にならず作業性が向上する。被写体Ｆと撮影装置１との間の撮影距離を所定の長さに保持した状態で、撮影装置１のレリーズスイッチ１ｃを操作すると、被写体Ｆの上下と撮影装置１の上下とが一致するため被写体Ｆの正像が撮影装置１によって撮影される。【選択図】図３
2008158375.tif 000002
【特許請求の範囲】
【請求項１】
撮影台上の支柱部に固定される固定部に装着されて、この撮影台上の被写体を撮影する撮影装置を支持する撮影装置の支持装置であって、
前記撮影台上の被写体の上下と前記撮影装置の上下とが一致するように、前記固定部とこの撮影装置とを連結する連結部を備えること、
を特徴とする撮影装置の支持装置。
【請求項２】
請求項１に記載の撮影装置の支持装置において、
前記連結部は、前記撮影装置の上部が前記支柱部側に位置するように、この撮影装置の底部と前記固定部とを連結すること、
を特徴とする撮影装置の支持装置。
【請求項３】
請求項１又は請求項２に記載の撮影装置の支持装置において、
前記連結部は、一方の端部側が前記固定部に着脱自在に連結され、他方の端部側が前記撮影装置に着脱自在に連結される略Ｕ字状のフレーム部を備えること、
を特徴とする撮影装置の支持装置。
【請求項４】
被写体を近距離から撮影装置によって撮影するための接写装置であって、
前記被写体を載せる撮影台と、
請求項１から請求項３までのいずれか１項に記載の撮影装置の支持装置と、
前記撮影台上の支柱部に前記支持装置を着脱自在に固定する固定部と、
を備える接写装置。
【発明の詳細な説明】
【技術分野】
【０００１】
この発明は、撮影台上の支柱部に固定される固定部に装着されて、この撮影台上の被写体を撮影する撮影装置を支持する撮影装置の支持装置、及び被写体を近距離から撮影装置によって撮影するための接写装置に関する。
【背景技術】
【０００２】
鉄道車両に電力を供給する架線のトロリ線、このトロリ線と架線金具とを接続するイヤーなどの電車線設備を評価する場合には、これらの撤去品を室内で外観調査する必要がある。これらの撤去品の外観調査を記録するときには、カメラ又はビデオカメラなどの撮影装置を使用してこれらの撤去品を写真撮影し、データを編集して報告書を作成している。このような外観調査を記録するときには、撤去品を接写台に載せ、この接写台に固定された支柱に撮影装置を固定して、接写台上の撤去品を撮影装置によって適当な撮影距離から撮影している。このような接写装置には、撮影装置を確実に固定可能であり、これらの撮影装置の着脱が用意であって、被写体が振動しないことなどが要求されている。
【０００３】
従来の接写装置は、被写体を載せる四角形状の搭載台と、この搭載台の一片側に着脱自在に装着された支柱と、搭載台上の被写体を撮影する撮影装置を下方に向けて支持する支持部材と、この支持部材の基部を支柱の長さ方向にスライド自在に取り付ける取付部などを備えている(例えば、特許文献１参照)。このような従来の接写装置では、被写体と撮影装置との間の距離を調整した後に、支柱の任意の位置に支持部材の基部を取付部によって固定して、最適な撮影距離から撮影装置によって被写体を撮影している。
【０００４】
【特許文献１】実開昭58-191492号公報
【発明の開示】
【発明が解決しようとする課題】
【０００５】
図４は、従来の接写装置を概略的に示す正面図である。図５は、従来の接写装置を概略的に示す右側面図である。図６は、従来の接写装置を概略的に示す平面図である。
図４〜図６に示す従来の接写装置１０３は、被写体Ｆを照明する照明装置１０２Ｒ，１０２Ｌと、被写体Ｆを載せる撮影台１０４と、この撮影台１０４に取り付けられた支柱部１０５と、この支柱部１０５を撮影台１０４に装着する装着部１０６と、支柱部１０５を装着部１０６に固定する固定部１０７と、照明装置１０２Ｒ，１０２Ｌを支持する支持装置１０８と、支柱部１０５に撮影装置１０１を着脱自在に固定する固定部１０９などを備えている。
【０００６】
従来の接写装置１０３では、図５及び図６に示すように、撮影装置１０１の底部が固定部１０９の取付部１０９ｂに取り付けられており、撮影装置１０１の底部が支柱部１０５側になるようにこの支柱部１０５に支持されている。このため、図５に示すように、接写装置１０３の手前側から撮影者Ｍが撮影しようとすると、通常の撮影時とは異なり撮影装置１０１の姿勢が反転する。その結果、従来の接写装置１０３では、撮影装置１０１の表示部１０１ｄに表示される画像が逆像になるため、表示部１０１ｄに表示される画像が正像になるように被写体Ｆを逆向きに修正する手間がかかり、被写体Ｆの位置合わせや調整が困難になる問題点がある。一方、従来の接写装置１０３では、支柱部１０５側から撮影者Ｍが撮影するときには、撮影装置１０１の姿勢が通常の撮影時と同じになる。しかし、この場合には、表示部１０１ｄに表示される画像が正像になるように支柱部１０５側から被写体Ｆの姿勢を調整して、レリーズスイッチ１０１ｃを操作する必要があり、支柱部１０５が邪魔になり作業を容易に行えない問題点がある。
【０００７】
また、従来の接写装置１０３では、撮影装置１０１がカメラ又はビデオカメラであるときに、図６に示すように撮影装置１０１の姿勢が反転した状態で被写体Ｆを撮影すると、被写体像が逆像になって撮影されて撮影装置１０１のメモリに記録される。その結果、通常の姿勢による撮影と反転した姿勢による撮影とを連続して行った場合には、撮影後に画像を正しい姿勢に編集する必要があり編集時間を要する問題点がある。特に、撮影装置１０１がビデオカメラである場合には、ビデオカメラによって撮影された逆さの映像を正しい姿勢に編集することが困難である。
【０００８】
この発明の課題は、撮影時の調整が容易であり撮影後の画像の編集作業を軽減することができる撮影装置の支持装置及び接写装置を提供することである。
【課題を解決するための手段】
【０００９】
この発明は、以下に記載するような解決手段により、前記課題を解決する。
なお、この発明の実施形態に対応する符号を付して説明するが、この実施形態に限定するものではない。
請求項１の発明は、撮影台（４）上の支柱部（５）に固定される固定部（９）に装着されて、この撮影台上の被写体（Ｆ）を撮影する撮影装置（１）を支持する撮影装置の支持装置であって、前記撮影台上の被写体の上下と前記撮影装置の上下とが一致するように、前記固定部とこの撮影装置とを連結する連結部（１１）を備えることを特徴とする撮影装置の支持装置（１０）である。
【００１０】
請求項２の発明は、請求項１に記載の撮影装置の支持装置において、前記連結部は、前記撮影装置の上部が前記支柱部側に位置するように、この撮影装置の底部と前記固定部とを連結することを特徴とする撮影装置の支持装置である。
【００１１】
請求項３の発明は、請求項１又は請求項２に記載の撮影装置の支持装置において、前記連結部は、一方の端部側が前記固定部に着脱自在に連結され、他方の端部側が前記撮影装置に着脱自在に連結される略Ｕ字状のフレーム部（１１ａ）を備えることを特徴とする撮影装置の支持装置である。
【００１２】
請求項４の発明は、被写体（Ｆ）を近距離から撮影装置（１）によって撮影するための接写装置であって、前記被写体を載せる撮影台（４）と、請求項１から請求項３までのいずれか１項に記載の撮影装置の支持装置（１０）と、前記撮影台上の支柱部（５）に前記支持装置を着脱自在に固定する固定部（９）とを備える接写装置（３）である。
【発明の効果】
【００１３】
この発明によると、撮影時の調整が容易であり撮影後の画像の編集作業を軽減することができる。
【発明を実施するための最良の形態】
【００１４】
以下、図面を参照して、この発明の実施形態について詳しく説明する。
図１は、この発明の実施形態に係る接写装置を概略的に示す正面図である。図２は、この発明の実施形態に係る接写装置を概略的に示す右側面図である。図３は、この発明の実施形態に係る接写装置を概略的に示す平面図である。
【００１５】
図１〜図３に示す被写体Ｆは、撮影装置１によって撮影される撮影対象物である。被写体Ｆは、例えば、鉄道車両、集電装置、電車線設備又は軌道構造物などの撤去品であり、鉄道車両の車輪、この車輪の踏面と接触するブレーキ装置の制輪子、集電装置のすり板、このすり板が接触するトロリ線、このトロリ線を支持するイヤー、鉄道車両の車輪と接触するレール、レールを支持体に締結するレール締結装置の締結ボルト、レールの継目部分を接続する継目板などである。図１に示す被写体Ｆは、レールを縦方向に薄板状に切断したレール片である。図２に示す撮影者Ｍは、撮影装置１を使用して被写体Ｆを撮影する使用者である。
【００１６】
図１〜図３に示す撮影装置１は、撮影台４上の被写体Ｆを撮影する装置である。撮影装置１は、例えば、撮影光学系を透過した被写体像を光電気変換素子（撮像素子）に撮像させるディジタル式カメラ（電子スチルカメラ）などである。撮影装置１は、撮影光学系を収容する図１及び図２に示すレンズ鏡筒１ａと、このレンズ鏡筒１ａが装着される図１〜図３に示すカメラボディ（撮影装置本体）１ｂと、撮影動作を開始するときに操作される図２及び図３に示すレリーズスイッチ１ｃと、光電気変換素子が撮像した画像を画面上に表示する図３に示す表示部１ｄと、撮影装置１を三脚に取り付けて撮影するときにこの三脚の雲台を取り付ける図２及び図３に示す取付部１ｅなどを備えている。
【００１７】
図１及び図３に示す照明装置２Ｒ，２Ｌは、被写体Ｆを照明する装置である。図１〜図３に示す照明装置２Ｒは、被写体Ｆに対して右上方から光を照射し、図１及び図３に示す照明装置２Ｌは被写体Ｆに対して左上方から光を照射する。照明装置２Ｒ，２Ｌは、ON/OFFを切り替える図示しない切替スイッチを備えており、この切替スイッチをON位置又はOFF位置に撮影者Ｍが操作することによってそれぞれ点灯状態及び消灯状態に切り替わる。
【００１８】
図１〜図３に示す接写装置３は、被写体Ｆを近距離から撮影装置１によって撮影するための装置である。接写装置３は、図１及び図２に示すように、撮影装置１によって被写体Ｆを上方から撮影可能であり、被写体Ｆと撮影装置１との間の撮影距離を任意に調整して被写体Ｆを原寸大、拡大又は縮小して撮影する。接写装置３は、図１〜図３に示す撮影台４と、支柱部５と、図１及び図２に示す装着部６と、図１及び図３に示す固定部７と、図１〜図３に示す支持装置８と、図２及び図３に示す固定部９と、図１〜図３に示す支持装置１０などを備えている。
【００１９】
図１〜図３に示す撮影台４は、被写体Ｆを載せる部分である。撮影台４は、図３に示すように、外観が四角形状の板状部材であり、図１及び図２に示すように撮影台４の上面は平坦面に形成されている。撮影台４は、テーブルなどの固定部材上に設置可能であり、底面の隅部に４個の脚部４ａを備えている。
【００２０】
図１〜図３に示す支柱部５は、支持装置８，１０を支持する部分であり、撮影台４に取り付けられている。支柱部５は、図３に示すように、断面が四角形状であり、図１及び図２に示すように垂直方向に伸びた柱状部材である。支柱部５は、図３に示すように、下端部が撮影台４の縁部中央に取り付けられている。支柱部５は、接写装置３の使用時には撮影台４に装着されるが、接写装置３の非使用時には収納及び運搬が可能なように撮影台４から取り外される。
【００２１】
図１及び図２に示す装着部６は、支柱部５を撮影台４に着脱自在に装着する部分である。装着部６は、支柱部５の下端部が着脱自在に嵌合する筒状の部分であり、図３に示すように撮影台４の上面の縁部中央にねじ止め又は溶接などによって固定されている。装着部６は、支柱部５の外径よりも僅かに内径が大きく形成されており、図１及び図２に示すように支柱部５の下端部が挿入された状態でこの支柱部５が傾かないようにこの支柱部５の下端部を保持している。
【００２２】
図１及び図３に示す固定部７は、支柱部５を装着部６に固定する部分である。固定部７は、支柱部５を撮影台４に固定及び固定解除するときに回転操作される操作部７ａを備えている。固定部７は、操作部７ａが締め付けられると支柱部５の外周部と装着部６の内周部とを密着させ、操作部７ａが緩められると支柱部５の外周部と装着部６の内周部との間に隙間を形成する。
【００２３】
図１〜図３に示す支持装置８は、照明装置２Ｒ，２Ｌを支持する装置である。支持装置８は、支柱部５に着脱自在に装着されており、照明装置２Ｒ，２Ｌの使用時には支柱部５に装着され、照明装置２Ｒ，２Ｌの非使用時には収納及び運搬が可能なように支柱部５から取り外される。支持装置８は、図１〜図３に示す支柱部８ａと、図１及び図３に示す取付部８ｂ，８ｃと、図１〜図３に示すスライド部８ｄと、固定ねじ部８ｅなどを備えている。
【００２４】
図１〜図３に示す支柱部８ａは、照明装置２Ｒ，２Ｌを支持する部分である。支柱部８ａは、図１及び図３に示すように水平方向に伸びた柱状部材であり、中央部が支柱部５に取り付けられている。図１及び図３に示すように、取付部８ｂは照明装置２Ｒを支柱部８ａに取り付ける部材であり、取付部８ｃは照明装置２Ｌを支柱部８ａに取り付ける部材である。取付部８ｂ，８ｃは、いずれも同一構造であり、被写体Ｆに対する照明装置２Ｒ，２Ｌの光の照射方向を任意に調節可能なように照明装置２Ｒ，２Ｌを支持しており、図１〜図３に示すように支柱部８ａの任意の位置に取り付け可能なようにクリップ状に形成されている。スライド部８ｄは、支柱部５の長さ方向に沿って移動可能な部材である。スライド部８ｄは、図３に示すように支柱部５の外側に嵌め込まれる環状部材であり、スライド部８ｄの内面は支柱部５の両側面及び後面と接触し、支柱部５の前面との間に間隙部を形成している。スライド部８ｄは、支柱部８ａを長さ方向に移動可能なように支持している。図１〜図３に示す固定ねじ部８ｅは、支柱部８ａを支柱部５に固定する止めねじである。固定ねじ部８ｅは、図３に示すように、支柱部５の前面と先端部が接触する雄ねじ部８ｆと、この雄ねじ部８ｆを回転操作させる操作部８ｇなどを備えている。固定ねじ部８ｅは、操作部８ｇが締め付ける方向に回転操作されると支柱部５の前面に雄ねじ部８ｆの先端部を密着させて、スライド部８ｄを所定の高さに停止させ、操作部８ｇが緩める方向に回転操作されると支柱部５の前面から雄ねじ部８ｆの先端部が遠ざかり、スライド部８ｄを移動可能にする。
【００２５】
図２及び図３に示す固定部９は、撮影台４上の支柱部５に固定される部分であり、支持装置１０を着脱自在に固定する。固定部９は、図５及び図６に示す従来の接写装置１０３の固定部１０９と同一構造である。固定部９は、図２及び図３に示すスライド部９ａと、取付部９ｂと、固定ねじ部９ｃ，９ｄなどを備えている。
【００２６】
スライド部９ａは、支柱部５の長さ方向に沿って移動可能な部分であり、支柱部５の外側に嵌め込まれている。スライド部９ａは、支柱部５の外径よりも僅かに内径が大きく形成されており、支柱部５に装着された状態でこの支柱部５に対してスライド部９ａが傾かないようにこの支柱部５に支持されている。
【００２７】
取付部９ｂは、連結部１１を取り付ける部分である。取付部９ｂは、図２に示すように、スライド部９ａと一体に形成されており、支柱部５の長さ方向に沿ってスライド部９ａとともに移動可能である。取付部９ｂは、図２及び図３に示すように、連結部１１のフレーム部１１ａの側面と密着可能なように先端部が平面状に形成されている。
【００２８】
図２及び図３に示す固定ねじ部９ｃは、スライド部９ａを支柱部５に固定する止めねじである。固定ねじ部９ｃは、スライド部９ａを固定及び固定解除するときに回転操作される操作部９ｅを備えており、この操作部９ｅが締め付ける方向に回転操作されると支柱部５にスライド部９ａを密着させて所定の高さに停止させ、この操作部９ｅが緩める方向に回転操作されるとスライド部９ａを移動可能にする。
【００２９】
固定ねじ部９ｄは、支持装置１０を取付部９ｂに固定する止めねじである。固定ねじ部９ｄは、支持装置１０を固定及び固定解除するときに回転操作させる操作部９ｆを備えている。固定ねじ部９ｄは、操作部９ｆが締め付ける方向に回転操作されると支持装置１０を固定部９に固定し、操作部９ｆが緩める方向に回転操作されると支持装置１０を固定部９から取り外し可能にする。固定ねじ部９ｄは、図５及び図６に示す従来の接写装置１０３の固定部１０９と同様に、撮影装置１の取付部１ｅを取付部９ｂに固定することも可能である。
【００３０】
図１〜図３に示す支持装置１０は、撮影装置１を支持する装置である。支持装置１０は、図５及び図６に示す従来の接写装置１０３の固定部１０９の取付部１０９ｂに装着可能であり、従来の接写装置１０３にオプション品として簡単に装着可能な構造である。支持装置１０は、図１〜図３に示すように、連結部１１と固定部１２などを備えている。
【００３１】
連結部１１は、図３に示すように、撮影台４上の被写体Ｆの上下と撮影装置１の上下とが一致するように、この撮影装置１と固定部９とを連結する部材である。連結部１１は、撮影装置１の上部が支柱部５側に位置するように、この撮影装置１の底部とこの固定部９とを連結する。連結部１１は、図１〜図３に示すフレーム部１１ａと、図２及び図３に示す補強部１１ｂなどを備えている。
【００３２】
図１〜図３に示すフレーム部１１ａは、一方の端部側が固定部９に着脱自在に連結され、他方の端部側が撮影装置１に着脱自在に連結される略Ｕ字状の部材である。フレーム部１１ａは、例えば、溶接、切削加工又はプレス加工によって形成された金属製の部材、射出成形によって形成された合成樹脂製の部材であり、断面がＨ形、四角形又は円形に形成されている。フレーム部１１ａは、図３に示すように、３つの直線部から構成されており、互に平行に配置された２つの直線部と、これらの直線部に対して垂直に配置されてこれらの直線部を繋ぐ１つの直線部と、略90°に屈曲した２つの屈曲部とを備えている。
【００３３】
図２及び図３に示す補強部１１ｂは、フレーム部１１ａの屈曲部を補強する部分である。補強部１１ｂは、図３に示すように、フレーム部１１ａの屈曲部の内側に形成されたリブなどであり、撮影装置１の重量によって屈曲部に曲げ応力が作用してフレーム部１１ａが撓まないように、フレーム部１１ａに剛性を付与している。
【００３４】
図１〜図３に示す固定部１２は、撮影装置１を支持装置１０に着脱自在に固定する部分である。固定部１２は、例えば、撮影装置１の取付部１ｅの雌ねじ部と噛み合う雄ねじ部を有する止めねじである。固定部１２は、撮影装置１を固定及び固定解除するときに回転操作させる操作部１２ａを備えている。固定部１２は、操作部１２ａが締め付ける方向に回転操作されるとフレーム部１１ａに撮影装置１を固定し、操作部１２ａが緩める方向に回転操作されるとフレーム部１１ａから撮影装置１を取り外し可能にする。
【００３５】
次に、この発明の実施形態に係る接写装置の組立方法を説明する。
図１及び図２に示す撮影台４をテーブル上などに設置して支柱部５の下端部を装着部６に挿入し、図１及び図２に示す固定部７の操作部７ａを回転操作して支柱部５を撮影台４に固定する。次に、支柱部５の上端部から固定部９のスライド部９ａをこの支柱部５に嵌め込み、支柱部５に沿ってスライド部９ａを任意の高さまで垂直方向にスライドさせ、図２及び図３に示す操作部９ｆを回転操作して支柱部５に固定部９を固定する。この状態で、図３に示す固定部９の取付部９ｂに支持装置１０のフレーム部１１ａを位置決めし、操作部９ｆを回転操作して固定部９に支持装置１０を固定する。次に、支持装置１０のフレーム部１１ａに撮影装置１を位置決めし、操作部１２ａを回転操作して支持装置１０のフレーム部１１ａに撮影装置１を固定する。
【００３６】
図１〜図３に示す支柱部５の上端部から支持装置８のスライド部８ｄをこの支柱部５に嵌め込み、支柱部５に沿ってスライド部８ｄを任意の高さまで垂直方向にスライドさせ、操作部８ｇを回転操作して支柱部５に支持装置８を固定する。次に、スライド部８ｄに支柱部８ａの端部を嵌め込み、図１及び図２に示すように支柱部５の中央部がスライド部８ｄに位置するまでこの支柱部５を水平方向にスライドさせる。この状態で、取付部８ｂによって照明装置２Ｒを支柱部５の一方の端部に取り付けるとともに、取付部８ｃによって照明装置２Ｌを支柱部５の他方の端部に取り付ける。
【００３７】
次に、この発明の実施形態に係る接写装置の使用方法を説明する。
図３に示すように、撮影台４の支柱部５に近い側に被写体Ｆの上部が位置するように、撮影台４上に被写体Ｆを載せる。この状態で、被写体Ｆに対する照明が適切になるように、照明装置２Ｒ，２Ｌの姿勢を変化させて光の照射角度を調整する。次に、図２及び図３に示す固定部９の操作部９ｅを緩めて、撮影装置１及び支持装置１０とともに固定部９を支柱部５の長さ方向に沿って移動させ、図３に示すように撮影装置１の表示部１ｄを参照しながら被写体Ｆと撮影装置１との間の撮影距離を調整する。このとき、図２に示すように、支柱部５とは反対側（接写装置３の手前側）から撮影者Ｍが被写体Ｆの位置を調整し撮影装置１を操作可能であるため、これらの作業を撮影者Ｍが実施するときに支柱部５が邪魔にならず作業性が向上する。被写体Ｆと撮影装置１との間の撮影距離を調整した後に、図２及び図３に示す操作部９ｅを締め付けて固定部９を支柱部５に固定し、被写体Ｆと撮影装置１との間の撮影距離を所定の長さに保持する。この状態で、図３に示す撮影装置１のレリーズスイッチ１ｃを操作すると、被写体Ｆの上下と撮影装置１の上下とが一致するため被写体Ｆの正像が撮影装置１によって撮影される。
【００３８】
この発明の実施形態に係る接写装置及び撮影装置の支持装置には、以下に記載するような効果がある。
(1) この実施形態では、撮影台４上の被写体Ｆの上下と撮影装置１の上下とが一致するように、この撮影台４上の固定部９とこの撮影装置１とを連結部１１が連結する。このため、撮影装置１によって撮影される被写体Ｆの撮影画像が逆像にはならず正像になる。その結果、従来の接写装置１０３とは異なり、撮影画像を正像に編集し直す作業が不要になるとともに、撮影台４上の被写体Ｆを逆さに設置してから撮影するような手間のかかる作業が不要になる。
【００３９】
(2) この実施形態では、撮影装置１の上部が支柱部５側に位置するように、この撮影装置１の底部と固定部９とを連結部１１が連結する。このため、撮影画像が正像になるように連結部１１を介して撮影装置１を固定部９に取り付けることができる。その結果、従来の接写装置１０３とは異なり、撮影者Ｍと撮影装置１との間に支柱部５が存在しないため、撮影装置１を撮影者Ｍが操作するときに支柱部５が支障にはならず、最適な撮影姿勢によって被写体Ｆを撮影することができる。
【００４０】
(3) この実施形態では、フレーム部１１ａの一方の端部側が固定部９に着脱自在に連結され、フレーム部１１ａの他方の端部側が撮影装置１に着脱自在に連結される。このため、撮影装置１によって被写体Ｆを撮影するときに、撮影領域内に連結部１１が入り込むのを防ぐことができる。また製造が容易で安価な連結部１１によって撮影装置１と固定部９とを簡単に連結することができる。
【００４１】
(4) この実施形態では、被写体Ｆを載せる撮影台４上の支柱部５に、撮影装置１を支持する支持装置１０を着脱自在に固定部９が固定する。このため、従来の接写装置１０３の基本構造を変えずに、固定部９の取付部９ｂに支持装置１０を取り付けて、この支持装置１０に撮影装置１を取り付けるだけで、この撮影装置１によって被写体Ｆの正像を簡単に撮影することができる。
【００４２】
この発明は、以上説明した実施形態に限定するものではなく、以下に記載するように種々の変形又は変更が可能であり、これらもこの発明の範囲内である。
例えば、この発明の実施形態では、撮影装置１がディジタル式カメラである場合を例に挙げて説明したが、ディジタル式カメラに限定するものではない。例えば、撮影光学系を透過した被写体像を銀塩フィルム（写真フィルム）に撮影させるフィルム式カメラ（銀塩カメラ）、撮影光学系を透過した被写体像を光電気変換素子（撮像素子）に撮像させるディジタル式ビデオカメラ（ビデオカメラ）などについてもこの発明を適用することができる。また、この実施形態では、固定部９と支持装置１０とを別部材に構成した場合を例に挙げて説明したが、これらを一体に構成することもできる。
【図面の簡単な説明】
【００４３】
【図１】この発明の実施形態に係る接写装置を概略的に示す正面図である。
【図２】この発明の実施形態に係る接写装置を概略的に示す右側面図である。
【図３】この発明の実施形態に係る接写装置を概略的に示す平面図である。
【図４】従来の接写装置を概略的に示す正面図である。
【図５】従来の接写装置を概略的に示す右側面図である。
【図６】従来の接写装置を概略的に示す平面図である。
【００４４】
１  撮影装置
２Ｒ，２Ｌ  照明装置
３  接写装置
４  撮影台
５  支柱部
６  装着部
７  固定部
８  支持装置
９  固定部
１０  支持装置
１１  連結部
１１ａ  フレーム部
１１ｂ  補強部
１２  固定部
Ｆ  被写体
Ｍ  撮影者
【図１】
2008158375.tif 000003
【図２】
2008158375.tif 000004
【図３】
2008158375.tif 000005
【図４】
2008158375.tif 000006
【図５】
2008158375.tif 000007
【図６】
2008158375.tif 000008